(57)【要約】【課題】空気調和機内部に塵やほこりが残留することによる雑菌やカビ菌の発生を抑制することが可能な空気調和機を提供する。【解決手段】空気調和機１は、フィルタ２と、ノズル部７と、接続部８とを備えている。フィルタ２は、空気を濾過する。ノズル部７は、フィルタ２に向く吸込口７ａを有している。接続部８は、ノズル部７と連通している。接続部８は、掃除機の吸込部分と接続できる。【選択図】図１
2007333365.tif 000002
【特許請求の範囲】
【請求項１】
空気を濾過するフィルタ（２、４２）と、
前記フィルタ（２、４２）に向く吸込口（７ａ）を有しているノズル部（７）と、
前記ノズル部（７）と連通しており、掃除機の吸込部分と接続できる接続部（８）と、
を備えている空気調和機（１、３１）。
【請求項２】
前記ノズル部（７）と前記接続部（８）との間に接続され、前記ノズル部（７）の吸込口（７ａ）から前記フィルタ（２、４２）に付着した塵を吸い込んで前記掃除機の吸込部分へと流す塵除去空間（９ａ）を内部に有する導通部（９）をさらに備えている、
請求項１に記載の空気調和機（１、３１）。
【請求項３】
前記ノズル部（７）の吸込口（７ａ）は、前記フィルタ（２、４２）に近接する、
請求項１に記載の空気調和機（１、３１）。
【請求項４】
前記ノズル部（７）の吸込口（７ａ）は、前記フィルタ（２、４２）に接触する、
請求項１に記載の空気調和機（１、３１）。
【請求項５】
前記ノズル部（７）の吸込口（７ａ）の幅は、１〜１０ｍｍである、
請求項１に記載の空気調和機（１、３１）。
【請求項６】
前記ノズル部（７）の吸込口（７ａ）の幅は、前記接続部（８）から近い方が狭いように設定されている、
請求項１に記載の空気調和機（１、３１）。
【請求項７】
前記フィルタ（２、４２）を駆動させるフィルタ駆動手段（１２）をさらに備えている、
請求項１に記載の空気調和機（１、３１）。
【請求項８】
前記フィルタ駆動手段（１２）は、手動操作手段を有している、
請求項７に記載の空気調和機（１、３１）。
【請求項９】
前記フィルタ駆動手段（１２）は、電動機を有している、
請求項７に記載の空気調和機（１、３１）。
【請求項１０】
前記掃除機の吸込部分が前記接続部（８）に挿入されたことを検出する挿入検出手段（１１）をさらに備えており、
前記フィルタ駆動手段（１２）は、前記掃除機の吸込部分が前記接続部（８）に挿入されたときに、前記フィルタ（２、４２）の駆動を開始する、
請求項９に記載の空気調和機（１、３１）。
【請求項１１】
前記フィルタ（２、４２）の位置を検出するフィルタ位置検出手段（１３）をさらに備えており、
前記フィルタ駆動手段（１２）は、前記フィルタ位置検出手段（１３）からの前記フィルタ（２、４２）の位置情報に基づいて、前記フィルタ（２、４２）を所定の移動距離だけ移動させる、
請求項９に記載の空気調和機（１、３１）。
【請求項１２】
前記フィルタ（２、４２）に付着した塵を静電気の作用で除去する除電手段（１５）をさらに備えている、
請求項１から１１のいずれかに記載の空気調和機（１、３１）。
【請求項１３】
前記除電手段（１５）は、前記ノズル部（７）の吸込口（７ａ）の近傍に設置されている、
請求項１２に記載の空気調和機（１、３１）。
【請求項１４】
少なくとも前記フィルタ（２、４２）の除菌をする活性種を発生させる活性種発生手段（１６、２１、２５、３０）をさらに備えている、
請求項１から１３のいずれかに記載の空気調和機（１、３１）。
【請求項１５】
前記活性種発生手段（１６、２１、２５、３０）は、プラズマ放電によって活性種を発生させる、
請求項１４に記載の空気調和機（１、３１）。
【請求項１６】
前記プラズマ放電は、ストリーマ放電である
請求項１４に記載の空気調和機（１、３１）。
【請求項１７】
前記活性種発生手段（１６）によって発生された活性種を前記フィルタ（２、４２）に噴霧する活性種噴霧ノズル（１７）をさらに備えている、
請求項１４から１６のいずれかに記載の空気調和機（１、３１）。
【請求項１８】
前記活性種発生手段（２１）は、前記フィルタ（２、４２）における前記ノズル部（７）が設置されている側に設置されている、
請求項１４から１６のいずれかに記載の空気調和機（１、３１）。
【請求項１９】
前記活性種発生手段（２５）は、前記フィルタ（２、４２）における前記ノズル部（７）が設置されている側と反対側に設置されている、
請求項１４から１６のいずれかに記載の空気調和機（１、３１）。
【請求項２０】
前記活性種発生手段（３０）は、前記ノズル部（７）と一体になるように構成されている、
請求項１４から１６のいずれかに記載の空気調和機（１、３１）。
【請求項２１】
天井に設置される空気調和機（１、３１）であり、
前記フィルタ（４２）は、天井面と平行に配置されている、
請求項１から２０のいずれかに記載の空気調和機（１、３１）。
【請求項２２】
空気清浄機能を有する空気清浄部（３３）をさらに備えている、
請求項１から２１のいずれかに記載の空気調和機（３１）。
【発明の詳細な説明】
【技術分野】
【０００１】
本発明は、フィルタを備えている空気調和機に関する。
【背景技術】
【０００２】
従来より、家庭用の掃除機等を用いてエアフィルタの清掃が可能な空気調和機が提案されている（特許文献１参照）。
【０００３】
特許文献１記載の空気調和機は、シート状のエアフィルタと、エアフィルタを往復走行させるエアフィルタ駆動装置と、エアフィルタに接触してエアフィルタに付着したほこりをエアフィルタから離脱させるブラシと、エアフィルタから離脱したほこりを吸い込むための掃除機の吸込具が連結される吸引部を備えている。
【０００４】
かかる構成により、エアフィルタ駆動装置によってエアフィルタを往復させることにより、ブラシがエアフィルタに付着した塵やほこりを離脱させ、その離脱した塵やほこりを、吸引部に連結された掃除機の吸込具から空気調和機外部へ吸い出すことができる。
【特許文献１】特開２００４―１５６７９４
【発明の開示】
【発明が解決しようとする課題】
【０００５】
しかし、特許文献１記載の空気調和機は、ブラシによって塵やほこりをエアフィルタから離脱させる構造になっているため、ブラシに塵やほこりが付着し、吸引部から完全に塵やほこりを吸い出すことができない。そのため、ブラシ上に残った塵やほこりに含まれる雑菌やカビ菌が増殖し、空気調和機が不衛生であるだけでなく、増殖した雑菌やカビ菌が室内にばら撒かれてしまうという問題がある。
【０００６】
本発明の課題は、空気調和機内部に塵やほこりが残留することによる雑菌やカビ菌の発生を抑制することが可能な空気調和機を提供することにある。
【課題を解決するための手段】
【０００７】
第１発明の空気調和機は、フィルタと、ノズル部と、接続部とを備えている。フィルタは、空気を濾過する。ノズル部は、フィルタに向く吸込口を有している。接続部は、ノズル部と連通している。接続部は、掃除機の吸込部分と接続できる。
【０００８】
ここでは、空気調和機は、フィルタに向く吸込口を有しているノズル部と、ノズル部と連通しており、掃除機の吸込部分と接続できる接続部とを備えているので、掃除機の吸引力を利用して、ブラシなしでフィルタから塵やほこりを除去することが可能である。その結果、空気調和機内部に塵やほこりが残留することによる雑菌やカビ菌の発生を抑制することが可能である。
【０００９】
第２発明の空気調和機は、第１発明の空気調和機であって、導通部をさらに備えている。導通部は、ノズル部と接続部との間に接続されている。導通部は、その内部に塵除去空間を有する。塵除去空間は、ノズル部の吸込口からフィルタに付着した塵を吸い込んで掃除機の吸込部分へと流す空間である。
【００１０】
ここでは、空気調和機は、ノズル部と接続部との間に接続された導通部をさらに備えているので、ノズル部から接続部へ塵やほこりを円滑に流すことができる。しかも、接続部は、導通部を介してノズル部に接続されているので、ノズル部から離れた位置に接続部を設置することが可能になる。
【００１１】
第３発明の空気調和機は、第１発明の空気調和機であって、ノズル部の吸込口は、フィルタに近接する。
【００１２】
ここでは、ノズル部の吸込口がフィルタに近接して配置されているので、吸込み性能が向上する。
【００１３】
第４発明の空気調和機は、第１発明の空気調和機であって、ノズル部の吸込口は、フィルタに接触する。
【００１４】
ここでは、ノズル部の吸込口がフィルタに接触して配置されているので、吸込み性能が向上する。
【００１５】
第５発明の空気調和機は、第１発明の空気調和機であって、ノズル部の吸込口の幅が１〜１０ｍｍである。
【００１６】
ここでは、ノズル部の吸込口の幅が１〜１０ｍｍに設定されているので、フィルタに付着した塵やほこりをフィルタの全幅から良好に吸い込むことが可能である。
【００１７】
第６発明の空気調和機は、第１発明の空気調和機であって、ノズル部の吸込口の幅は、接続部から近い方が狭いように設定されている。
【００１８】
ここでは、ノズル部の吸込口の幅が接続部から近い方が狭いように設定されているので、接続部から遠い位置においても吸込圧力の低下を抑制し、吸込口からの吸込み性能を維持することが可能である。
【００１９】
第７発明の空気調和機は、第１発明の空気調和機であって、フィルタを駆動させるフィルタ駆動手段をさらに備えている。
【００２０】
ここでは、フィルタ駆動手段をさらに備えているので、フィルタをノズル部の吸込口の前を順に通過するように走行させることが可能である。
【００２１】
第８発明の空気調和機は、第７発明の空気調和機であって、フィルタ駆動手段は、手動操作手段を有している。
【００２２】
ここでは、フィルタ駆動手段が手動操作手段を有しているので、フィルタをノズル部の吸込口の前を順に通過するように手動で走行させることが可能である。
【００２３】
第９発明の空気調和機は、第７発明の空気調和機であって、フィルタ駆動手段は、電動機を有している。
【００２４】
ここでは、フィルタ駆動手段が電動機を有しているので、フィルタをノズル部の吸込口の前を順に通過するように自動で走行させることが可能である。
【００２５】
第１０発明の空気調和機は、第９発明の空気調和機であって、挿入検出手段をさらに備えている。挿入検出手段は、掃除機の吸込部分が接続部に挿入されたことを検出する。フィルタ駆動手段は、掃除機の吸込部分が接続部に挿入されたときに、フィルタの駆動を開始する。
【００２６】
ここでは、空気調和機は、掃除機の吸込部分が接続部に挿入されたことを検出する挿入検出手段をさらに備えている。また、フィルタ駆動手段は、掃除機の吸込部分が接続部に挿入されたときにフィルタの駆動を開始するようになっている。したがって、掃除機の吸込部分を接続部に接続するだけで自動的にフィルタの走行を開始して自動的にフィルタの清掃を開始することが可能である。
【００２７】
第１１発明の空気調和機は、第９発明の空気調和機であって、フィルタの位置を検出するフィルタ位置検出手段をさらに備えている。フィルタ駆動手段は、フィルタ位置検出手段からのフィルタの位置情報に基づいて、フィルタを所定の移動距離だけ移動させる。
【００２８】
ここでは、空気調和機は、フィルタの位置を検出するフィルタ位置検出手段をさらに備えている。フィルタ駆動手段は、フィルタ位置検出手段からのフィルタの位置情報に基づいて、フィルタを所定の移動距離だけ正確に移動させることが可能である。
【００２９】
第１２発明の空気調和機は、第１発明から第１１発明のいずれかの空気調和機であって、除電手段をさらに備えている。除電手段は、フィルタに付着した塵を静電気の作用で除去する。
【００３０】
ここでは、除電手段をさらに備えているので、フィルタに付着した塵を静電気の作用で離脱させることが可能になり、ノズル部の吸込みと併用させることによって、塵やほこりの除去効果を向上させることが可能である。
【００３１】
第１３発明の空気調和機は、第１２発明の空気調和機であって、除電手段は、ノズル部の吸込口の近傍に設置されている。
【００３２】
ここでは、除電手段がノズル部の吸込口の近傍に設置されているので、フィルタに付着した塵やほこりに対して、静電気によって離脱させる力とノズル部７の吸込圧力とを同時に作用させることが可能になり、塵やほこりの除去効果をより向上させることが可能である。
【００３３】
第１４発明の空気調和機は、第１発明から第１３発明のいずれかの空気調和機であって、活性種発生手段をさらに備えている。活性種発生手段は、少なくともフィルタの除菌をする活性種を発生させる。
【００３４】
ここでは、少なくともフィルタの除菌をする活性種を発生させる活性種発生手段をさらに備えているので、活性種によってフィルタを除菌することが可能である。
【００３５】
第１５発明の空気調和機は、第１４発明の空気調和機であって、活性種発生手段は、プラズマ放電によって活性種を発生させる。
【００３６】
ここでは、活性種発生手段がプラズマ放電によって活性種を発生させることによって、高い除菌効果を得ることが可能である。
【００３７】
第１６発明の空気調和機は、第１４発明の空気調和機であって、プラズマ放電は、ストリーマ放電である。
【００３８】
ここでは、プラズマ放電がストリーマ放電であるので、より除菌効果の高い活性種を生成することが可能である。
【００３９】
第１７発明の空気調和機は、第１４発明から第１６発明のいずれかの空気調和機であって、活性種噴霧ノズルをさらに備えている。活性種噴霧ノズルは、活性種発生手段によって発生された活性種をフィルタに噴霧する。
【００４０】
ここでは、活性種発生手段によって発生された活性種をフィルタに噴霧する活性種噴霧ノズルをさらに備えているので、フィルタに活性種を噴霧して効果的にフィルタの除菌を行うことが可能である。
【００４１】
第１８発明の空気調和機は、第１４発明から第１６発明のいずれかの空気調和機であって、活性種発生手段は、フィルタにおけるノズル部が設置されている側に設置されている。
【００４２】
ここでは、活性種発生手段がフィルタにおけるノズル部が設置されている側に設置されているので、活性種発生手段をフィルタに近接または接触して配置することが可能である。それにより、活性種発生手段で発生した活性種をイオン風を利用してフィルタに吹き付けることが可能である。そのため、活性種を搬送するための送風機構は不要になる。
【００４３】
第１９発明の空気調和機は、第１４発明から第１６発明のいずれかの空気調和機であって、活性種発生手段は、フィルタにおけるノズル部が設置されている側と反対側に設置されている。
【００４４】
ここでは、活性種発生手段がフィルタにおけるノズル部が設置されている側と反対側に設置されているので、活性種発生手段をフィルタに近接または接触して配置することが可能である。それにより、活性種発生手段で発生した活性種をイオン風を利用してフィルタに吹き付けることが可能である。そのため、活性種を搬送するための送風機構は不要になる。しかも、活性種発生手段から噴霧された活性種は、フィルタの反対側に配置されたノズル部の吸込圧力によって、フィルタへ確実に移動することが可能である。
【００４５】
第２０発明の空気調和機は、第１４発明から第１６発明のいずれかの空気調和機であって、活性種発生手段は、ノズル部と一体になるように構成されている。
【００４６】
ここでは、活性種発生手段がノズル部と一体になるように構成されているので、活性種発生手段をフィルタに近接または接触して配置することが可能である。それにより、活性種発生手段で発生した活性種をイオン風を利用してフィルタに吹き付けることが可能である。そのため、活性種を搬送するための送風機構は不要になる。しかも、空気調和機の小型化が可能である。
【００４７】
第２１発明の空気調和機は、第１発明から第２０発明のいずれかの空気調和機であって、天井に設置される空気調和機である。フィルタは、天井面と平行に配置されている。
【００４８】
ここでは、天井に設置される空気調和機であり、フィルタが天井面と平行に配置されているタイプの空気調和機であっても、フィルタに向く吸込口を有しているノズル部と、ノズル部と連通しており、掃除機の吸込部分と接続できる接続部とを備えることが可能である。したがって、掃除機の吸引力を利用して、ブラシなしでフィルタから塵やほこりを除去することが可能である。その結果、天井に設置される空気調和機内部に塵やほこりが残留することによる雑菌やカビ菌の発生を抑制することが可能である。
【００４９】
第２２発明の空気調和機は、第１発明から第２１発明のいずれかの空気調和機であって、空気清浄機能を有する空気清浄部をさらに備えている。
【００５０】
ここでは、空気清浄部を備えた空気調和機、すなわち空気清浄機であっても、フィルタに向く吸込口を有しているノズル部と、ノズル部と連通しており、掃除機の吸込部分と接続できる接続部とを備えることが可能である。したがって、掃除機の吸引力を利用して、ブラシなしでフィルタから塵やほこりを除去することが可能である。その結果、空気清浄機内部に塵やほこりが残留することによる雑菌やカビ菌の発生を抑制することが可能である。
【発明の効果】
【００５１】
第１発明によれば、掃除機の吸引力を利用して、ブラシなしでフィルタから塵やほこりを除去することができる。それによって、空気調和機内部に塵やほこりが残留することによる雑菌やカビ菌の発生を抑制することができる。
【００５２】
第２発明によれば、ノズル部から接続部へ塵やほこりを円滑に流すことができる。しかも、ノズル部から離れた位置に接続部を設置することが可能になる。
【００５３】
第３発明によれば、吸込み性能が向上する。
【００５４】
第４発明によれば、吸込み性能が向上する。
【００５５】
第５発明によれば、フィルタに付着した塵やほこりをフィルタの全幅から良好に吸い込むことができる。
【００５６】
第６発明によれば、接続部から遠い位置においても吸込圧力の低下を抑制することができ、吸込口からの吸込み性能を維持することが可能である。
【００５７】
第７発明によれば、フィルタをノズル部の吸込口の前を順に通過するように走行させることができる。
【００５８】
第８発明によれば、フィルタをノズル部の吸込口の前を順に通過するように手動で走行させることができる。
【００５９】
第９発明によれば、フィルタをノズル部の吸込口の前を順に通過するように自動で走行させることができる。
【００６０】
第１０発明によれば、掃除機の吸込部分を接続部に接続するだけで自動的にフィルタの走行を開始して自動的にフィルタの清掃を開始することができる。
【００６１】
第１１発明によれば、フィルタを所定の移動距離だけ正確に移動させることができる。
【００６２】
第１２発明によれば、フィルタに付着した塵を静電気の作用で離脱させることができ、ノズル部の吸込みと併用させることによって塵やほこりの除去効果が向上する。
【００６３】
第１３発明によれば、フィルタに付着した塵やほこりに対して、静電気によって離脱させる力とノズル部７の吸込圧力とを同時に作用させることができ、塵やほこりの除去効果をより向上させることができる。
【００６４】
第１４発明によれば、活性種によってフィルタを除菌することができる。
【００６５】
第１５発明によれば、高い除菌効果を得ることができる。
【００６６】
第１６発明によれば、より除菌効果の高い活性種を生成することができる。
【００６７】
第１７発明によれば、フィルタに活性種を噴霧して効果的にフィルタの除菌を行うことができる。
【００６８】
第１８発明によれば、活性種発生手段で発生した活性種をイオン風を利用してフィルタに吹き付けることができる。それによって、活性種を搬送するための送風機構は不要になる。
【００６９】
第１９発明によれば、活性種発生手段で発生した活性種をイオン風を利用してフィルタに吹き付けることができる。それによって、活性種を搬送するための送風機構は不要になる。しかも、ノズル部の吸込圧力によって活性種をフィルタへ確実に移動することができる。
【００７０】
第２０発明によれば、活性種発生手段で発生した活性種をイオン風を利用してフィルタに吹き付けることができる。それによって、活性種を搬送するための送風機構は不要になる。しかも、空気調和機の小型化が可能である。
【００７１】
第２１発明によれば、掃除機の吸引力を利用して、ブラシなしでフィルタから塵やほこりを除去することができる。その結果、天井に設置される空気調和機内部に塵やほこりが残留することによる雑菌やカビ菌の発生を抑制することができる。
【００７２】
第２２発明によれば、掃除機の吸引力を利用して、ブラシなしでフィルタから塵やほこりを除去することができる。その結果、空気清浄機内部に塵やほこりが残留することによる雑菌やカビ菌の発生を抑制することができる。
【発明を実施するための最良の形態】
【００７３】
〔第１実施形態〕
本発明の空気調和機の一実施形態として、図１〜図３に示される壁掛けルームエアコンタイプの空気調和機の室内機１は、主要な構成として、吸込口１ａから吸い込まれる空気を濾過するフィルタ２と、空気と冷媒との間の熱交換を行う３個の熱交換部分３ａ、３ｂ、３ｃを有する熱交換器３と、吸込口１ａから吹出口１ｂへ流れる空気流れを生成するファン４と、フィルタ２に付着した塵やほこりを離脱させる離脱機構６とを備えている。フィルタ２、熱交換器３、ファン４、および離脱機構６は、ケース５に収納されている。
【００７４】
また、室内機１は、制御部１０と、挿入検出センサ１１と、フィルタ駆動モータ１２と、フィルタ位置検出センサ１３と、ローラ１４と、除電部１５と、プラズマ放電部１６と、活性種噴霧ノズル１７とをさらに備えている。
【００７５】
制御部１０は、挿入検出センサ１１からの挿入検出信号およびフィルタ位置検出センサ１３からのフィルタ位置情報に基づいて、フィルタ駆動モータ１２の駆動を制御する。また、制御部１０は、除電部１５およびプラズマ放電部１６も制御する。
【００７６】
＜離脱機構６の構成＞
離脱機構６は、図１〜図３に示されるように、ノズル部７と、接続部８と、導通部９とを有している。離脱機構６は、ノズル部７、接続部８、および導通部９を合成樹脂で一体成形することによって製造されている。
【００７７】
ノズル部７は、フィルタ２に向く吸込口７ａを有している。
【００７８】
接続部８は、導通部９を介してノズル部７と連通しており、掃除機の吸込部分Ｓと接続できる。接続部８は、市販の掃除機の吸込ノズルに対応する開口径（好ましくは、全メーカの吸込ノズルに対応する開口径）を有しており、接続部８と吸込ノズルとの隙間をシールするゴムパッキン（図示せず）を有している。
【００７９】
導通部９は、ノズル部７と接続部８との間に接続されている。導通部９は、ノズル部７の吸込口７ａからフィルタ２に付着した塵を吸い込んで掃除機の吸込部分Ｓへと流す塵除去空間９ａを内部に有する。
【００８０】
したがって、室内機１は、フィルタ２に向く吸込口７ａを有しているノズル部７と、ノズル部７と連通しており、掃除機の吸込部分Ｓと接続できる接続部８とを備えているので、掃除機の吸引力を利用して、ブラシなしでフィルタ２から塵やほこりを除去することが可能である。その結果、空気調和機内部に塵やほこりが残留することによる雑菌やカビ菌の発生を抑制することが可能である。
【００８１】
また、導通部９を備えているので、ノズル部７から接続部８へ塵やほこりを円滑に流すことができ、かつ、ノズル部７から離れた位置に接続部８を設置することが可能になる。
【００８２】
ノズル部７の吸込口７ａは、フィルタ２に近接して配置されているので、吸込み性能が向上している。なお、ノズル部７の吸込口７ａをフィルタ２に接触して配置しても、吸込み性能を向上することが可能である。
【００８３】
ノズル部７の吸込口７ａの幅（図３における電極１５ａ、１５ｂの間の吸込口７ａの幅参照）は、全長にわたって均一である。ノズル部７の吸込口７ａの幅は、１〜１０ｍｍに設定されていれば、フィルタ２に付着した塵やほこりをフィルタ２の全幅から良好に吸い込むことが可能である。好ましくは、ノズル部７の吸込口７ａの幅が２〜５ｍｍに設定されていれば、塵やほこりの吸込みがより良好になる。
【００８４】
＜フィルタ２を駆動する機構についての説明＞
室内機１は、電動機を有するフィルタ駆動手段をさらに備えている。すなわち、室内機１は、図１〜図３に示されるように、複数のローラ１４に掛け回されて配置されたループ状のフィルタ２をノズル部７の吸込口７ａの前を順に通過（すなわち、図１における矢印Ｄの方向に走行）するように自動的に走行させるために、フィルタ駆動モータ１２をさらに備えている。フィルタ駆動モータ１２の駆動軸は、複数のローラ１４のうちの１つを回転駆動させる。
【００８５】
フィルタ駆動モータ１２は、以下の２種類のセンサ（挿入検知センサ１１およびフィルタ位置検出センサ１３）からの情報に基づいて、制御部１０によって駆動制御される。
【００８６】
すなわち、挿入検出センサ１１は、掃除機の吸込部分Ｓが接続部８に挿入されたことを検出するセンサである。挿入検出センサ１１は、接触センサまたは光学センサ等である。挿入検出センサ１１によって掃除機の吸込部分Ｓが接続部８に挿入されことを検出した場合、挿入検出センサ１１から制御部１０へ挿入検出信号が送られる。制御部１０は、フィルタ駆動モータ１２の駆動を制御して、フィルタ２を所定時間または所定距離だけ駆動させる。
【００８７】
フィルタ位置検出センサ１３は、フィルタ２の位置を検出するセンサである。フィルタ位置検出センサ１３は、ロータリエンコーダ等である。
【００８８】
制御部１０は、フィルタ位置検出センサ１３からのフィルタ２の位置情報に基づいて、フィルタ駆動モータ１２の駆動を制御して、フィルタ２を所定の移動距離だけ正確に移動させる。
【００８９】
＜除電部１５の構成＞
除電部１５は、フィルタ２に付着した塵を静電気の作用で除去する。除電部１５は、＋−の電荷を与える２つの電極、すなわち、陽電極１５ａおよび陰電極１５ｂを有している。
【００９０】
除電部１５は、ノズル部７の吸込口７ａの近傍に設置されている。具体的には、図３に示されるように、除電部１５の陽電極１５ａおよび陰電極１５ｂは、ノズル部７の吸込口７ａの上下の開口縁にそれぞれ設置されている。
【００９１】
＜活性種を発生する機構についての説明＞
室内機１は、活性種を発生させる活性種発生手段として、プラズマ放電部１６をさらに備えている。活性種は、少なくともフィルタ２を除菌する。また、活性種は、フィルタ２を除菌するだけでなく、塵やほこりとともに吸い出されることによって、ノズル部７、導通部９、接続部８、および掃除機の吸込部分Ｓも除菌することが可能である。
【００９２】
プラズマ放電部１６は、プラズマ放電によって活性種を発生させる。具体的には、図４に示されるように、プラズマ放電部１６は、ストリーマ放電を行なうために、ケース１６ａと、ストリーマ放電電極１６ｂと、対向電極１６ｃとから構成される。このプラズマ放電部１６において、ストリーマ放電電極１６ｂと対向電極１６ｃとの間に直流、交流、またはパルスの放電電圧が印加されると、ケース１６ａ内部の放電空間１６ｄにおける両電極１６ｂ、１６ｃ間にストリーマ放電が生じ、低温プラズマが生成される。この低温プラズマによって、高速電子、イオン、オゾン、ヒドロキシラジカルなどのラジカル種や、その他の励起分子（励起酸素分子、励起窒素分子、励起水分子）などの活性種が生成される。なお、これらの活性種は、非常にエネルギーレベルが高く、フィルタ２の除菌だけでなく、アンモニア類、アルデヒド類または窒素酸化物などの小さな有機分子を分解および消臭する能力を有する。
【００９３】
また、プラズマ放電部１６は、制御部１０による放電量の制御によって、活性種の生成量を調整することができる
プラズマ放電部１６によって発生された活性種は、活性種噴霧ノズル１７によって、フィルタ２に向かって噴霧される。活性種は、図示しないファン等の送風機構によってプラズマ放電部１６から活性種噴霧ノズル１７へ送られる。
【００９４】
活性種噴霧ノズル１７は、フィルタ２の前面側（ノズル部７の吸込口７ａがある側）に設置されている。フィルタ駆動モータ１２によって矢印Ｄ方向に走行されているフィルタ２は、活性種噴霧ノズル１７によって活性種を吹き付けられた後に、ノズル部７の吸込口７ａによって塵やほこりが吸い出される。
【００９５】
＜第１実施形態の特徴＞
（１）
第１実施形態の空気調和機の室内機１は、フィルタ２に向く吸込口７ａを有しているノズル部７と、ノズル部７と連通しており、掃除機の吸込部分Ｓと接続できる接続部８とを備えているので、掃除機の吸引力を利用して、ブラシなしでフィルタ２から塵やほこりを除去することが可能である。その結果、空気調和機内部に塵やほこりが残留することによる雑菌やカビ菌の発生を抑制することが可能である。
【００９６】
（２）
第１実施形態の空気調和機の室内機１は、ノズル部７と接続部８との間に接続された導通部９をさらに備えているので、ノズル部７から接続部８へ塵やほこりを円滑に流すことができる。しかも、接続部８は、導通部９を介してノズル部７に接続されているので、ノズル部７から離れた位置に接続部８を設置することが可能になる。
【００９７】
（３）
第１実施形態では、ノズル部７の吸込口７ａがフィルタ２に近接して配置されているので、吸込み性能が向上している。なお、ノズル部７の吸込口７ａをフィルタ２に接触して配置しても、吸込み性能を向上することが可能である。
【００９８】
（４）
第１実施形態では、ノズル部７の吸込口７ａの幅が１〜１０ｍｍに設定されているので、フィルタ２に付着した塵やほこりをフィルタ２の全幅から良好に吸い込むことが可能である。
【００９９】
（５）
第１実施形態の室内機１は、フィルタ２を駆動させるフィルタ駆動モータ１２をさらに備えているので、フィルタ２をノズル部７の吸込口７ａの前を順に通過するように自動的に走行させることが可能である。
【０１００】
（６）
第１実施形態の室内機１は、掃除機の吸込部分Ｓが接続部８に挿入されたことを検出する挿入検出センサ１１をさらに備えており、フィルタ駆動モータ１２は、掃除機の吸込部分Ｓが接続部８に挿入されたときに、フィルタ２の駆動を開始するようになっている。したがって、掃除機の吸込部分Ｓを接続部８に接続するだけで自動的にフィルタ２の走行を開始して自動的にフィルタ２の清掃を開始することが可能である。
【０１０１】
（７）
第１実施形態の室内機１は、フィルタ２の位置を検出するフィルタ位置検出センサ１３をさらに備えており、フィルタ駆動モータ１２は、フィルタ位置検出センサ１３からのフィルタ２の位置情報に基づいて、フィルタ２を所定の移動距離だけ正確に移動させることが可能である。したがって、フィルタ２の塵やほこりの除去を良好に行うことが可能である。
【０１０２】
しかも、フィルタ２を所定の移動距離だけ正確に移動させることができることによって、フィルタ２における塵やほこりが付着しやすい部分（例えば、室内機１の吸込口１ａ近傍に配置されている部分）を選択して、その部分の清掃の頻度を増加させることも可能である。
【０１０３】
（８）
第１実施形態の室内機１は、除電部１５をさらに備えているので、フィルタ２に付着した塵を静電気の作用で離脱させることが可能になり、ノズル部７の吸込みと併用させることによって、塵やほこりの除去効果を向上させることが可能である。
【０１０４】
（９）
第１実施形態では、除電部１５は、ノズル部７の吸込口７ａの近傍に設置されているので、フィルタ２に付着した塵やほこりに対して、静電気によって離脱させる力とノズル部７の吸込圧力とを同時に作用させることが可能になり、塵やほこりの除去効果をより向上させることが可能である。
【０１０５】
（１０）
第１実施形態の室内機１は、少なくともフィルタ２の除菌をする活性種を発生させる活性種発生手段としてプラズマ放電部１６をさらに備えているので、活性種によってフィルタ２を除菌することが可能である。
【０１０６】
（１１）
しかも、プラズマ放電部１６がプラズマ放電によって活性種を発生させることによって、高い除菌効果を得ることが可能である。
【０１０７】
（１２）
さらに、プラズマ放電がストリーマ放電であるので、より除菌効果の高い活性種を生成することが可能である。
【０１０８】
（１３）
第１実施形態の室内機１は、プラズマ放電部１６によって発生された活性種をフィルタ２に噴霧する活性種噴霧ノズル１７をさらに備えているので、フィルタ２に活性種を噴霧して効果的にフィルタ２の除菌を行うことが可能である。
【０１０９】
＜第１実施形態の変形例＞
（Ａ）
第１実施形態の室内機１では、ノズル部７の吸込口７ａの幅は、全長にわたって均一であるが、本発明はこれに限定されるものではない。第１実施形態の変形例として、ノズル部７の吸込口７ａの幅は、接続部８から近い方が狭いように設定されていてもよく、この場合、接続部８から遠い位置においても吸込圧力の低下を抑制し、吸込口からの吸込み性能を維持することが可能である。
【０１１０】
（Ｂ）
第１実施形態では、フィルタ駆動手段としてフィルタ駆動モータ１２を例にあげて説明しているが、本発明はこれに限定されるものではない。第１実施形態の他の変形例として、室内機１は、フィルタ２を手動で駆動するための手動操作手段を備えていてもよく、この場合、フィルタ２をノズル部７の吸込口７ａの前を順に通過するように手動で走行させることが可能である。しかも、手動操作によって、フィルタ２の塵やほこりがとくに多く付着している部位を、ノズル部７の吸込口７ａの前に容易に移動させることができる。
【０１１１】
手動操作手段としては、例えば、手動操作が容易なつまみやハンドル等が用いられる。
【０１１２】
（Ｃ）
第１実施形態では、静電気の作用でフィルタ２の塵を除去する除電部１５の例として、＋−の電荷をフィルタ２に与える陽電極１５ａおよび陰電極１５ｂを有する除電部１５を例にあげて説明したが、本発明はこれに限定されるものではない。他の除電部として、たとえば、アースに接続された導電部をフィルタ２に接触させて除電を行なってもよい。または、プラズマ放電部１６のプラズマ放電により発生した活性種の＋−の電荷のバランスを調整することによりフィルタ２の塵を静電気の作用で除去してもよい。
【０１１３】
（Ｄ）
第１実施形態では、活性種噴霧ノズル１７がフィルタ２の前面側（ノズル部７の吸込口７ａがある側）に設置されている例が示されているが、本発明はこれに限定されるものではない。他の変形例として、ループ状のフィルタ２の内側に活性種噴霧ノズル１７を設置してもよく、この場合も、フィルタ２に活性種を噴霧して効果的にフィルタ２の除菌を行うことが可能である。また、ループ状のフィルタ２の内側に活性種噴霧ノズル１７を設置すれば、活性種噴霧ノズル１７から噴霧された活性種は、ループ状のフィルタ２の外側に配置されたノズル部７の吸込圧力によって、フィルタ２へ確実に移動することが可能である。
【０１１４】
〔第２実施形態〕
第１実施形態のようにプラズマ放電部１６で発生された活性種をファンなどの送風機構によって活性種噴霧ノズル１７へ供給する代わりに、図５に示される第２実施形態のように、フィルタ２におけるノズル部７が設置されている側にプラズマ放電部２１を設置してもよい。具体的には、プラズマ放電部２１は、離脱機構６のノズル部７の上側で、かつ室内機１の吸込口１ａの下側に配置されている。
【０１１５】
この場合には、プラズマ放電部２１がフィルタ２に近接または接触して配置することが可能であるので、プラズマ放電部２１で発生した活性種をイオン風を利用してフィルタ２に吹き付けることが可能である。そのため、活性種を搬送するための送風機構は不要になる。
【０１１６】
また、図５に示される第２実施形態では、プラズマ放電部２１のプラズマ放電により発生した活性種の＋−の電荷のバランスを調整することによりフィルタ２の塵を静電気の作用で除去する。そのため、除電部を別に設ける必要がなくなる。
【０１１７】
〔第３実施形態〕
さらに、図６に示される第３実施形態のように、フィルタ２におけるノズル部７が設置されている側と反対側にプラズマ放電部２５を設置してもよい。具体的には、プラズマ放電部２５は、離脱機構６のノズル部７の上流側で、かつループ状のフィルタ２の内側に配置されている。
【０１１８】
この場合には、プラズマ放電部２５がフィルタ２に近接または接触して配置することが可能であるので、プラズマ放電部２５で発生した活性種をイオン風を利用してフィルタ２に吹き付けることが可能である。そのため、活性種を搬送するための送風機構は不要になる。
【０１１９】
しかも、プラズマ放電部２５から噴霧された活性種は、ループ状のフィルタ２の外側（反対側）に配置されたノズル部７の吸込圧力によって、フィルタ２へ確実に移動することが可能である。
【０１２０】
また、図６に示される第２実施形態では、プラズマ放電部２５のプラズマ放電により発生した活性種の＋−の電荷のバランスを調整することによりフィルタ２の塵を静電気の作用で除去する。そのため、除電部を別に設ける必要がなくなる。
【０１２１】
〔第４実施形態〕
さらに、図７に示される第４実施形態のように、プラズマ放電部３０をフィルタ２におけるノズル部７と一体になるように構成してもよい。具体的には、プラズマ放電部３０は、ノズル部７の上側に一体になるように設けられている。
【０１２２】
この場合においても、プラズマ放電部３０がフィルタ２に近接または接触して配置することが可能であるので、プラズマ放電部３０で発生した活性種をイオン風を利用してフィルタ２に吹き付けることが可能である。そのため、活性種を搬送するための送風機構は不要になる。
【０１２３】
また、図７に示される第４実施形態では、プラズマ放電部３０のプラズマ放電により発生した活性種の＋−の電荷のバランスを調整することによりフィルタ２の塵を静電気の作用で除去する。そのため、除電部を別に設ける必要がなくなる。
【０１２４】
しかも、プラズマ放電部３０をフィルタ２におけるノズル部７と一体になるように構成しているので、室内機１の小型化が可能である。
【０１２５】
〔第５実施形態〕
上記の第１実施形態では、壁掛けルームエアコンタイプの空気調和機の室内機１を例にあげて説明したが、本発明はこれに限定されるものではなく、フィルタ付きの室内機であれば、種々のタイプの室内機についても本発明を適用することが可能である。
【０１２６】
すなわち、第５実施形態の室内機１は、図８に示されるように、天井に埋め込んだ状態で設置される空気調和機の室内機（いわゆる、パッケージエアコン）であり、この室内機４１は、天井面と平行に配置されたループ状のフィルタ４２を備えている。その他の構成については、図８に示される天井埋込み型の室内機４１は、第１実施形態の室内機１と同様に、熱交換器３、ファン４、ケース５、離脱機構６（ノズル部７、接続部８、導通部９）、およびローラ１４を備えている。また、ループ状のフィルタ４２は、図示しないフィルタ駆動モータによってノズル部７の吸込口７ａの前を通過できるように走行することが可能である。
【０１２７】
この天井埋込み型の室内機４１も、第１実施形態の室内機１と同様に、フィルタ４２に向く吸込口７ａを有しているノズル部７と、ノズル部７と連通しており、掃除機の吸込部分Ｓと接続できる接続部８とを備えているので、掃除機の吸引力を利用して、ブラシなしでフィルタ４２から塵やほこりを除去することが可能である。その結果、天井に設置される空気調和機内部に塵やほこりが残留することによる雑菌やカビ菌の発生を抑制することが可能である。
【０１２８】
しかも、室内機４１は、ノズル部７と接続部８との間に接続された導通部９をさらに備えているので、ノズル部７から接続部８へ塵やほこりを円滑に流すことができる。しかも、接続部８は、導通部９を介してノズル部７に接続されているので、ノズル部７から離れた位置に接続部８を設置することが可能になる。
【０１２９】
さらに、ノズル部７の吸込口７ａがフィルタ２に近接または接触して配置されているので、吸込み性能が向上している。
【０１３０】
〔第６実施形態〕
上記の第１実施形態では、本発明の空気調和機として、空気調和機の室内機１を例にあげて説明したが、本発明はこれに限定されるものではなく、フィルタ付きの空気調和機であれば、種々のタイプの空気調和機についても本発明を適用することが可能である。
【０１３１】
したがって、本発明の空気調和機の他の実施形態として、図９〜１０に示されるような空気清浄機３１は、空気清浄部３３を備えている。その他の構成については、図９〜１０に示される空気清浄機３１は、第１実施形態の空気調和機の室内機１と同様に、ファン４、ケース５、離脱機構６（ノズル部７、接続部８、導通部９）、制御部１０、フィルタ駆動モータ１２およびローラ１４を備えている。また、ループ状のフィルタ２は、フィルタ駆動モータ１２によってノズル部７の前を通過できるように走行することが可能である。
【０１３２】
空気清浄部３３は、空気清浄機能を有するものであればいかなる手段でもよく、従来公知の空気清浄手段が用いられる。
【０１３３】
この空気清浄機３１も、第１実施形態の室内機１と同様に、フィルタ２に向く吸込口７ａを有しているノズル部７と、ノズル部７と連通しており、掃除機の吸込部分Ｓと接続できる接続部８とを備えているので、掃除機の吸引力を利用して、ブラシなしでフィルタ２から塵やほこりを除去することが可能である。その結果、天井に設置される空気調和機内部に塵やほこりが残留することによる雑菌やカビ菌の発生を抑制することが可能である。
【産業上の利用可能性】
【０１３４】
本発明は、フィルタを備えている空気調和機（室内機、空気清浄機、その他の空気調和機能を有する機器）であれば、いかなるタイプの空気調和機にも利用することが可能である。したがって、壁掛けルームエアコンタイプの室内機（図１〜図３参照）だけでなく、天井設置タイプ（天井埋込み型および天井吊下げ型の両方）の室内機（図８参照）にも本発明を適用することが可能である。
【図面の簡単な説明】
【０１３５】
【図１】本発明の第１実施形態に係わる壁掛けルームエアコンタイプの空気調和機の室内機の内部を正面から見た構成図。
【図２】図１の室内機の縦断面図。
【図３】図１の離脱機構付近の拡大図。
【図４】図１のプラズマ放電部の構成図。
【図５】本発明の第２実施形態に係わる空気調和機の室内機における離脱機構付近の拡大図。
【図６】本発明の第３実施形態に係わる空気調和機の室内機における離脱機構付近の拡大図。
【図７】本発明の第４実施形態に係わる空気調和機の室内機における離脱機構付近の拡大図。
【図８】本発明の第５実施形態に係わる天井設置型の空気調和機の室内機の内部構成図。
【図９】本発明の第６実施形態に係わる空気清浄機の内部を正面から見た構成図。
【図１０】図９の空気清浄機の縦断面図。
【符号の説明】
【０１３６】
1   室内機
２、４２  フィルタ
６  離脱機構
７  ノズル部
７ａ  吸込口
８  接続部
９  導通部
１１  挿入検出センサ
１２  フィルタ駆動モータ
１３  フィルタ位置センサ
１５  除電部
１６、２１、２５、３０  プラズマ放電部
１７  活性種噴霧ノズル
３１  空気清浄機
３３  空気清浄部
【図１】
2007333365.tif 000003
【図２】
2007333365.tif 000004
【図３】
2007333365.tif 000005
【図４】
2007333365.tif 000006
【図５】
2007333365.tif 000007
【図６】
2007333365.tif 000008
【図７】
2007333365.tif 000009
【図８】
2007333365.tif 000010
【図９】
2007333365.tif 000011
【図１０】
2007333365.tif 000012